(57)【要約】【課題】フェンスの金網の一つの網目に簡単に取り付け、取り外すことができ、フェンスの道路側に取り付けても道路側と外側の両側で足場として使用することができ、さらにコンパクトに折り畳んで携帯できるフェンス昇降用折畳式ステップを提供する。【解決手段】第１ヒンジ部３を軸として、０度または０度近くの所定の全閉角から９０度未満の所定の全開角αの範囲で開閉可能な第１脚体１および第２脚体２からなる１対の脚体と、１対の脚体１，２のそれぞれの下端に第２ヒンジ部６および第３ヒンジ部７を軸として、それぞれ各脚体１，２と重なる位置から、脚体１，２に対して外側に９０度未満の開き角βの位置まで開閉可能な第１および第２の足掛りステップ４，５とを備え、１対の脚体１，２は、開いた状態でフェンスを構成する金網の網目を通してフェンスの内側と外側に各足掛りステップ４．５が位置するように取り付け可能であるフェンス昇降用折畳式ステップ。【選択図】図１
0003178574.tif 000002
【実用新案登録請求の範囲】
【請求項１】
第１ヒンジ部を軸として、０度または０度近くの所定の全閉角から９０度未満の所定の全開角の範囲で開閉可能な第１脚体および第２脚体からなる１対の脚体と、
前記１対の脚体のそれぞれの下端に第２ヒンジ部および第３ヒンジ部を軸として、それぞれ各脚体と重なる位置から、当該脚体に対して外側に９０度未満の開き角の位置まで開閉可能な第１および第２の足掛りステップとを備え、
前記１対の脚体は、開いた状態でフェンスを構成する金網の網目を通してフェンスの内側と外側に前記各足掛りステップが位置するように取り付け可能であるフェンス昇降用折畳式ステップ。
【請求項２】
前記第１脚体と第２脚体は、幅の異なる断面コ字状の鋼材が背の部分が互いに外側になるように入れ子式に組み込まれて前記第１ヒンジ部により上部が連結されている請求項１記載のフェンス昇降用折畳式ステップ。
【請求項３】
前記第１および第２の足掛りステップは断面コ字状の鋼材で構成され、前記第１脚体および第２脚体の下部において、第１脚体および第２脚体の背の部分に被さる状態に取り付けられるとともに、互いの下部において前記第２ヒンジ部および第３ヒンジ部により開閉自在に取り付けられている請求項２記載のフェンス昇降用折畳式ステップ。
【請求項４】
前記第１脚体と第２脚体の全開角は３０度〜６０度である請求項１から３のいずれかの項に記載のフェンス昇降用折畳式ステップ。
【請求項５】
前記第１脚体と第１足掛りステップ、および前記第２脚体と第２足掛りステップの最大開き角は６０度〜７０度である請求項１から４のいずれかの項に記載のフェンス昇降用折畳式ステップ。
【考案の詳細な説明】
【技術分野】
【０００１】
本考案は、高速道路等の路肩に設置された金網製のフェンスを、法面点検等の作業時に乗り越えるために使用するステップに関する。
【背景技術】
【０００２】
高速道路の保全作業の一つとして、路肩の水路に土砂が溜まっていないかどうかや、樹木の繁茂状況はどうか等を点検する作業がある。高速道路の敷地の境には、場所に応じて、人や動物が道路に入らないようにフェンスが設置されているが、道路側の点検車両から下りた作業員がフェンスの外側に出て点検することもある。
【０００３】
そのような場合、正規の作業手順では、フェンスに設けられている扉付きの出入口から道路の外側に出入りするのであるが、出入口は、一連の法面に、通常１箇所しか設置されていないため、草木が茂っていたり足場が悪かったりするフェンスの外側を歩いて点検場所に移動し、点検が終わったらまた出入口に歩いて戻り道路側に入るというのは過酷な労力となり、作業者に対する負担が大きい。
【０００４】
わざわざ出入口まで遠回りするのではなく、行きたい箇所のフェンスに直接、脚立や梯子を掛けてフェンスを昇り降りするやり方もある。しかし、フェンスに昇るのはいいが、フェンスを越えてフェンスの外側に降りる場合や、フェンスの外側から道路側に戻る際には脚立や梯子を向こう側にも設置する必要があり、楽ではない。
【０００５】
このような負担を軽減するため、特許文献１には、金網型フェンスに着脱自在なフックを設けた左右の支柱に踏み板を取り付け、支柱と踏み板にスライドアームを取り付けて踏み板を折り畳みできるようにしたフェンス用携帯足場が開示されている。
【先行技術文献】
【特許文献】
【０００６】
【特許文献１】登録実用新案第３０６００１８号公報
【考案の概要】
【考案が解決しようとする課題】
【０００７】
しかしながら、前掲の特許文献１に開示されたフェンス用携帯足場では、フェンスの片側のみに取り付けて足場とするので、道路側からフェンスを越える際には用いることができるが、フェンスを越えて外側に降りる場合の足場にはならない。そのため、フェンスの金網の網目に手を掛けて降りなければならず、作業靴が金網で滑って危険であった。このフェンス用携帯足場は、フェンスの反対側からは取り外すことができないので、フェンスの外側から道路側に戻るときにフェンスの外側に掛け替えることもできなかった。
【０００８】
そこで、本考案は、フェンスの金網の一つの網目に簡単に取り付け、取り外すことができ、フェンスの道路側に取り付けても道路側と外側の両側で足場として使用することができ、さらにコンパクトに折り畳んで携帯できるフェンス昇降用折畳式ステップを提供することを目的とする。
【課題を解決するための手段】
【０００９】
前記課題を解決するため、本考案のフェンス昇降用折畳式ステップは、第１ヒンジ部を軸として、０度または０度近くの所定の全閉角から９０度未満の所定の全開角の範囲で開閉可能な第１脚体および第２脚体からなる１対の脚体と、前記１対の脚体のそれぞれの下端に第２ヒンジ部および第３ヒンジ部を軸として、それぞれ各脚体と重なる位置から、当該脚体に対して外側に９０度未満の開き角の位置まで開閉可能な第１および第２の足掛りステップとを備え、前記１対の脚体は、開いた状態でフェンスを構成する金網の網目を通してフェンスの内側と外側に前記各足掛りステップが位置するように取り付け可能であることを特徴とする。
【００１０】
本考案においては、非使用時には第１脚体と第２脚体を全閉角の状態に閉じ、さらに第１足掛りステップと第２足掛りステップをそれぞれ第１脚体、第２脚体に対して重なる位置に閉じてコンパクトにした状態で作業着のポケット等に入れて携帯しておく。
道路の路肩のフェンスを越える場合は、フェンスの金網の、通常は菱形になっている網目に、本考案のフェンス昇降用折畳式ステップの第１脚体と第２脚体を、第１ヒンジ部を軸にして開いた状態で、一方の脚体を差し込む。その状態で手を放すと、フェンス昇降用折畳式ステップは、一方の脚体がフェンスの外側に、他方の脚体がフェンスの内側に突き出た状態でフェンスの一つの網目の下辺を構成する鋼線により支持される。
【００１１】
さらに、第１脚体と第２脚体の下端に結合されている第１の足掛りステップと第２の足掛りステップを、それぞれ第２ヒンジ部と第３ヒンジ部を軸として外側に開くと、第１の足掛りステップと第２の足掛りステップが外側に突出するので、作業者はそれに靴を掛けてフェンスを登り、また乗り越えてフェンスの向こう側に降りるときに靴を掛けることができる。
【００１２】
第１および第２の足掛りステップは、靴のつま先を乗せて体重を掛けたときに脚体がほぼ垂直になるため、最大に開いた状態で、脚体に対して鋭角、すなわち９０度未満とする。また、靴が掛けられている一方の脚体が垂直になったときに他方の脚体はフェンスに対して全開角の分だけ角度が大きくなるが、その状態でも他方の脚体がフェンスの網目から離脱しないように、全開角を９０度未満としている。
【００１３】
このフェンス昇降用折畳式ステップは、フェンスの網目に取り付けた側とは反対側からも取り外すことができるため、フェンスの登り下りを行った後、移動する際は、取り外して携帯できるため、別の場所でフェンスを登り降りする際にも、簡単に装着し、指標することができる。
【００１４】
前記第１脚体と第２脚体は、幅の異なる断面コ字状の鋼材が背の部分が互いに外側になるように入れ子式に組み込まれて第１ヒンジ部により上部が連結されている構成とすることにより、折り畳んだときの厚みを各脚体の厚みの和よりも大幅に薄くでき、コンパクト化できる。
【００１５】
前記第１および第２の足掛りステップは断面コ字状の鋼材で構成され、第１脚体および第２脚体の下部において、第１脚体および第２脚体の背の部分に被さる状態に取り付けられるとともに、互いの下部において前記第２ヒンジ部および第３ヒンジ部により開閉自在に取り付けられていることにより、第１および第２の足掛りステップを閉じたときの全体の厚みが薄くなり、コンパクト化できる。
【００１６】
前記第１脚体と第２脚体の全開角は３０度〜６０度であることにより、一方の脚体に連結されている足掛りステップに靴のつま先を乗せて体重を掛けたときに、第１のヒンジ部と第２または第３のヒンジ部に作用する力によりフェンスの下部が上部に対して反対方向に多少（１０度〜２０度）傾いても、他方の脚体が水平方向よりも下向きの範囲に保持されるため、フェンス昇降用折畳式ステップはフェンスの網目から外れることはない。
【００１７】
前記第１脚体と第１足掛りステップ、および前記第２脚体と第２足掛りステップの最大開き角は６０度〜７０度であることにより、一方の脚体に連結されている足掛りステップに靴のつま先を乗せて体重を掛けたときに、第１のヒンジ部と第２または第３のヒンジ部に作用する力によりフェンスの下部が上部に対して反対方向に多少（１０度〜２０度）傾いても、足掛りステップが水平方向よりも下向きになることはなく、足掛りステップに掛けている靴のつま先が滑り落ちることがない。
【考案の効果】
【００１８】
本考案によれば、第１ヒンジ部を軸として、０度または０度近くの所定の全閉角から９０度未満の所定の全開角の範囲で開閉可能な第１脚体および第２脚体からなる１対の脚体と、１対の脚体のそれぞれの下端に第２ヒンジ部および第３ヒンジ部を軸として、それぞれ各脚体と重なる位置から、当該脚体に対して外側に９０度未満の開き角の位置まで開閉可能な第１および第２の足掛りステップとを備え、１対の脚体は、開いた状態でフェンスを構成する金網の網目を通してフェンスの内側と外側に各足掛りステップが位置するように取り付け可能であるため、フェンスの金網の一つの網目に簡単に取り付け、取り外すことができ、フェンスの道路側に取り付けても道路側と外側の両側で足場として使用することができ、さらにコンパクトに折り畳んで携帯できる。
また、点検車両から下りた現場で、フェンスを超えて路肩側に移動し、点検を行い、点検後、またフェンスを超えて道路側に戻るという動作が、遠回りする必要がなくて作業効率がよくなる。
【図面の簡単な説明】
【００１９】
【図１】本考案の実施の形態に係るフェンス昇降用折畳式ステップを示すものであり、（ａ）は開いた状態の正面図、（ｂ）は閉じた状態の正面図、（ｃ）は閉じた状態の側面図、（ｄ）は閉じた状態の平面図である。
【図２】本考案の実施の形態に係るフェンス昇降用折畳式ステップの第１脚体を示すものであり、（ａ）は正面図、（ｂ）は側面図、（ｃ）は平面図である。
【図３】本考案の実施の形態に係るフェンス昇降用折畳式ステップの第２脚体を示すものであり、（ａ）は正面図、（ｂ）は側面図、（ｃ）は平面図である。
【図４】本考案の実施の形態に係るフェンス昇降用折畳式ステップの使用状態を示す斜視図である。
【図５】本考案の実施の形態に係るフェンス昇降用折畳式ステップの使用状態を示す側面図である。
【考案を実施するための形態】
【００２０】
以下、本考案を、図面を参照しながら具体的に説明する。
本考案の実施の形態に係るフェンス昇降用折畳式ステップは、図１〜図３に示すように、第１脚体１と第２脚体２が、第１ヒンジ部３を軸として開閉自在に取り付けられており、第１脚体１の下端には第１の足掛りステップ４が第２ヒンジ６を軸として開閉自在に取り付けられており、さらに第２脚体２の下端には第２の足掛りステップ５が第３ヒンジ７を軸として開閉自在に取り付けられている。
【００２１】
第１脚体１と第２脚体２は、幅の異なる断面コ字状の鋼材が背の部分が互いに外側になるように入れ子式に組み込まれて第１ヒンジ部３により上部が連結されている。本例では、第１脚体１の幅が広く、第２脚体２が第１脚体１の内側に組み込まれている。第１脚体１と第２脚体２の上部は斜めにカットした傾斜部１ａ、２ａが形成されており、特に、第２脚体２の傾斜部２ａは第１脚体１の内壁に当たることにより、全開角αが９０度未満、好ましくは３０度〜６０度、本例では小さい方の３０度に規制されている。
【００２２】
第１の足掛りステップ４および第２の足掛りステップ５は断面コ字状の鋼材で構成され、第１脚体１および第２脚体２の下部において、第１脚体１および第２脚体２の背の部分に被さる状態に取り付けられるとともに、互いの下部において第２ヒンジ部６および第３ヒンジ部７により開閉自在に取り付けられている。
【００２３】
第１の足掛りステップ４および第２の足掛りステップ５の背側下部には切欠き４ａ、５ａが設けられており、第１の足掛りステップ４および第２の足掛りステップ５を第１脚体１および第２脚体２に対して第２ヒンジ６、第３ヒンジ７を軸として開いたときに、第１脚体１および第２脚体２の背に切欠き４ａ、５ａが当たって、それ以上開かないように全開角βを規制している。このβは、６０度〜７０度であり、本例では６５度としている。
【００２４】
図４および図５は、本考案の実施の形態に係るフェンス昇降用折畳式ステップを、フェンスを構成する金網Ｎの網目の一つに装着した使用状態を示すものである。
図４に示すように、フェンスの片側、例えば車道側からフェンス昇降用折畳式ステップの一方の脚体、図示の例では第２脚体２を金網の網目に差し込み、手を放すと、第１ヒンジ部３の下部が金網ＮのワイヤＷに掛かり、第１脚体１は道路側、第２脚体２は外側に開いた状態となる。第１の足掛りステップ４と第２の足掛りステップ５は、開いた状態にする。
【００２５】
この状態で、図５に示すようにフェンスの金網の上部に手を掛け、第１の足掛りステップ４に靴Ｓのつま先を掛けてフェンスを昇る。このとき、第１の足掛りステップ４に荷重が掛かり、ワイヤＷを中心にモーメントＭが作用して第１脚体１はフェンス側に回ろうとするが、フェンスの金網Ｎは外側に少し撓んだ所で、抗力Ｆでバランスする。この、第１脚体１が外側に回りこんでバランスした状態でも、第１の足掛りステップ４が第２ヒンジ６に対して水平以下の角度とならないように、すなわち第１の足掛りステップ４の先端が斜めに下がって靴Ｓが外側に滑らないように、全開角β（図１，図２参照）が設定されている。第２の足掛りステップ５も同様である。さらに、第１脚体１と第２脚体２との間の全開角α（図１参照）は、図５の、第１脚体１の下部が外側に回り込んだ状態でも第２脚体２が水平以上の角度になってワイヤＷから外れないような十分に余裕のある鋭角としている。
【００２６】
フェンスの上部を越えた作業者は、フェンスの外側に回り、第２の足掛りステップ５に靴Ｓのつま先を掛けてフェンスの外側の地面に安全に降りることができる。
点検作業でフェンスの外側を移動する場合は、本フェンス昇降用折畳式ステップをフェンスの網目から取り外して携帯し、必要な場所でフェンスを越えるときに使用することができる。
【産業上の利用可能性】
【００２７】
本考案は、フェンスの金網の一つの網目に簡単に取り付け、取り外すことができ、フェンスの道路側に取り付けても道路側と外側の両側で足場として使用することができ、さらにコンパクトに折り畳んで携帯できるフェンス昇降用折畳式ステップとして、高速道路、有料道路、一般道路の路肩に設けられているフェンスの外側の保全作業に好適に利用することができる。
【符号の説明】
【００２８】
１  第１脚体
１ａ  傾斜部
２  第２脚体
２ａ  傾斜部
３  第１ヒンジ部
４  第１の足掛りステップ
４ａ  切欠き
５  第２の足掛りステップ
５ａ  切欠き
６  第２ヒンジ
７  第３ヒンジ
Ｎ  フェンスの金網
Ｗ  ワイヤ
Ｓ  靴
Ｍ  モーメント
Ｆ  抗力
【図１】
0003178574.tif 000003
【図２】
0003178574.tif 000004
【図３】
0003178574.tif 000005
【図４】
0003178574.tif 000006
【図５】
0003178574.tif 000007